【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
顧客が使用するショッピングカートに取付けた走行状態を検出する走行状態検出手段と、前記走行状態検出手段で検出した走行状態に基づいて前記ショッピングカートの移動経路情報を形成する移動経路情報形成手段と、該移動経路情報形成手段で形成したショッピングカートの移動経路情報に基づいて顧客が商品選択に迷いを生じている商品選択迷い状態であることを検出する商品選択迷い検出手段と、該商品選択迷い検出手段で商品選択迷い状態を検出したときに、顧客の現在位置近傍の商品選択補助情報を提供する商品選択情報提供手段とを備えていることを特徴とする商品選択情報提供装置。
【請求項２】
顧客が使用するショッピングカートに取付けた走行状態を検出する走行状態検出手段と、前記走行状態検出手段で検出した走行状態に基づいて前記ショッピングカートの移動経路情報を形成する移動経路情報形成手段と、該移動経路情報形成手段で形成したショッピングカートの移動経路情報に基づいて顧客が商品選択に迷いを生じている商品選択迷い状態であることを検出する商品選択迷い検出手段と、該商品選択迷い検出手段で商品選択迷い状態を検出したときに、顧客の現在位置近傍の商品選択補助情報を提供する商品選択情報提供手段と、前記移動経路情報形成手段で形成した前記ショッピングカートの移動経路情報に基づいてマーケティングデータを生成する手段とを備えていることを特徴とする商品選択情報提供装置。
【請求項３】
前記商品選択迷い検出手段は、所定範囲の商品購買領域内における滞在時間が所定時間以上であるときに商品選択迷い状態であることを検出するように構成されていることを特徴とする請求項１又は２に記載の商品選択情報提供装置。
【請求項４】
前記商品選択迷い検出手段は、所定範囲の商品購買領域内への立ち寄り回数が所定回数以上であるときに商品選択迷い状態であることを検出するように構成されていることを特徴とする請求項１又は２に記載の商品選択情報提供装置。
【請求項５】
前記商品選択迷い検出手段は、所定範囲の商品購買領域内における往復移動回数が所定回数以上であるときに商品選択迷い状態であることを検出するように構成されていることを特徴とする請求項１又は２に記載の商品選択情報提供装置。
【請求項６】
前記走行状態検出手段は、ショッピングカートの移動方向を検出する移動方向検出手段と、移動距離を検出する移動距離検出手段とを備えていることを特徴とする請求項１乃至５の何れか１項に記載の商品選択情報提供装置。
【請求項７】
前記移動方向検出手段は、ジャイロを含んで構成されていることを特徴とする請求項６に記載の商品選択情報提供装置。
【手続補正２】
【補正対象書類名】明細書
【補正対象項目名】０００７
【補正方法】変更
【補正の内容】
【０００７】
また、第２の発明に係る商品選択情報提供手段は、顧客が使用するショッピングカートに取付けた走行状態を検出する走行状態検出手段と、前記走行状態検出手段で検出した走行状態に基づいて前記ショッピングカートの移動経路情報を形成する移動経路情報形成手段と、該移動経路情報形成手段で形成したショッピングカートの移動経路情報に基づいて顧客が商品選択に迷いを生じている商品選択迷い状態であることを検出する商品選択迷い検出手段と、該商品選択迷い検出手段で商品選択迷い状態を検出したときに、顧客の現在位置近傍の商品選択補助情報を提供する商品選択情報提供手段と、前記移動経路情報形成手段で形成した前記ショッピングカートの移動経路情報に基づいてマーケティングデータを生成する手段とを備えていることを特徴としている。
この第２の発明では、ショッピングカートに設けた走行状態検出手段の検出結果に基づいて移動経路情報形成手段で移動経路情報を形成することができ、この移動経路情報に基づいて顧客の動向を判断し、商品選択迷い状態であるときに、現在位置近傍で商品選択の手助けとなる売れ筋商品、お買い得商品等の商品選択補助情報を提供することにより、顧客の商品選択を効率良く行うことが可能となると共に、移動経路情報に基づいてマーケティングデータを生成するので、顧客の商品の購入エリアや動線を判断することができる。
また、第２の発明に係る商品選択情報提供装置は、第１又は第２の発明において、前記商品選択迷い検出手段は、所定範囲の商品購買領域内における滞在時間が所定時間以上であるときに商品選択迷い状態であることを検出するように構成されていることを特徴としている。
この第３の発明では、所定範囲の商品購買領域内に比較的長い時間滞在している場合には商品の選択に迷いがあるものと判断することができ、商品選択迷い状態であるとして検出することができる。
【手続補正３】
【補正対象書類名】明細書
【補正対象項目名】０００８
【補正方法】変更
【補正の内容】
【０００８】
さらに、第４の発明に係る商品選択情報提供装置は、第１又は２の発明において、前記商品選択迷い検出手段は、所定範囲の商品購買領域内への立ち寄り回数が所定回数以上であるときに商品選択迷い状態であることを検出するように構成されていることを特徴としている。
この第４の発明では、所定範囲の商品購買領域内への立ち寄り回数が所定回数以上であるときには、商品を購入しようか否かを迷っている状態である可能性が非常に高いので、高確率で商品選択迷い状態を検出することができる。
【手続補正４】
【補正対象書類名】明細書
【補正対象項目名】０００９
【補正方法】変更
【補正の内容】
【０００９】
さらにまた、第５の発明に係る商品選択情報提供装置は、第１又は２の発明において、前記商品選択迷い検出手段は、所定範囲の商品購買領域内における往復移動回数が所定回数以上であるときに商品選択迷い状態であることを検出するように構成されていることを特徴としている。
この第５の発明では、所定範囲の商品購買領域内での往復移動回数が所定回数以上であるときに商品の選択に迷いが発生している可能性が非常に高く、しかも往復範囲から選択商品を特定することが可能であるので、商品選択迷い状態をより正確に検出することができる。
【手続補正５】
【補正対象書類名】明細書
【補正対象項目名】００１０
【補正方法】変更
【補正の内容】
【００１０】
なおさらに、第６の発明に係る商品選択情報提供装置は、第１〜第５の発明において、前記走行状態検出手段は、ショッピングカートの移動方向を検出する移動方向検出手段と、移動距離を検出する移動距離検出手段とを備えていることを特徴としている。
この第６の発明では、移動方向検出手段でショッピングカートの移動方向を検出し、移動距離検出手段でショッピングカートの移動距離を検出することにより、両者からショッピングカートの移動経路を正確に検出することができる。
【手続補正６】
【補正対象書類名】明細書
【補正対象項目名】００１１
【補正方法】変更
【補正の内容】
【００１１】
また、第７の発明に係る商品選択情報提供装置は、第６の発明において、前記移動方向検出手段は、ジャイロを含んで構成されていることを特徴としている。
この第７の発明では、移動方向検出手段がジャイロを含んで構成されているので、ジャイロで、少なくともショッピングカートのヨーレートや車輪の移動方向を検出することができ、ショッピングカートの移動方向を正確に検出することができる。